(57)【特許請求の範囲】
【請求項１】
製パン材料を収容する容器と、
前記容器の周囲に配設し前記容器を加熱する加熱手段と、
前記容器内の製パン材料を粉砕および混合する粉砕混合手段と、
前記製パン材料の温度を直接的或いは間接的に検出する温度検出手段と、
操作条件を設定する操作部と、
前記操作部で設定された条件と、前記温度検出手段で検出された前記製パン材料の温度に基づき、前記加熱手段および前記粉砕混合手段を駆動制御し前記製パン材料の粉砕から混合を経て小麦粉やグルテンを用いることなく製パンに適した穀物ペーストを作製して発酵から焼成までを自動的に行う制御手段とを備え、
前記制御手段は、前記容器と前記粉砕混合手段の底部との隙間で生の米粒を粉砕する粉砕工程と、前記粉砕工程で粉砕された米粒と水を前記粉砕混合手段で混合して穀物ペーストを得る混合工程とを有し、前記粉砕工程と前記混合工程における前記粉砕混合手段を同じ速度帯で動作させる自動製パン器。
【請求項２】
前記粉砕混合手段は米粒を粉砕する粉砕部と、穀物ペーストを作製する混合部とを備え、前記粉砕部と前記容器との隙間は複数種類の異なる隙間を有し、前記容器と前記粉砕部との隙間は米粒の短径より大きい隙間と小さい隙間を有するようにした請求項１に記載の自動製パン器。
【請求項３】
粉砕と混合が、同一容器内で進行するようにした請求項１または２に記載の自動製パン器。
【請求項４】
前記粉砕された米粒と水を混合して穀物ペーストを得た後に、酵母を自動で投入し、発酵と焼成を経て製パンするようにした請求項１〜３のいずれか１項に記載の自動製パン器。
【発明の詳細な説明】
【技術分野】
【０００１】
本発明は、主として一般家庭で調理に用いる穀物ペーストを自動的に作製し、その穀物ペーストを用いて自動的にパンを調理する自動製パン器に関するものである。
【背景技術】
【０００２】
古くから食パンや菓子パン等のパン作りは、温度管理が難しい酵母を必要とすること、さらに、捏ねを十分に行わなければ出来映えの良いものが得られず業務用の製パン器に頼っていた。
【０００３】
例えば、パン作りの一連の工程は、先ず、水を始めとして小麦粉、塩、砂糖、スキムミルク、ショートニングのミックス粉と、酵母を水に触れないようにしてパンケース内に投入した後、それぞれの材料を十分に混合する捏ね工程と、その後、捏ね上った生地を休めて２５〜３２℃程度に加温して発酵させて膨らませる一次発酵工程と、その後、生地を僅かの時間捏ねて生地中の余分なガス（気泡）を抜くガス抜き工程と、その後、生地内に残ったガスをつぶさないようにして成形する生地丸め工程と、さらにその後、生地を１時間程度休ませて発酵させる二次発酵工程と、その後、１６０〜１８０度で焼く焼成工程とから構成されており、これらの工程を順序よく進めなければならない。
【０００４】
そこで、パン材料の捏ねから焼成までの種々の工程をマイクロコンピュータのプログラムに基づいて自動的に実行して、一般家庭で手軽にパンを焼くことができる自動製パン器が世の中に普及してきている（例えば、特許文献１参照）。
【０００５】
図９は特許文献１に記載された自動製パン器のレーズン入り食パンの調理工程図である。図９に示すように、従来の自動製パン器はパン材料の捏ねから焼成までの種々の工程をマイクロコンピュータのプログラムに基づいて自動的に実行するようになっていて、一般家庭で手軽にパンを焼くことができるようになっている。
【０００６】
また、低コストで取り扱いが簡単な製パン器能付き炊飯器も考えられた（例えば、特許文献２参照）。図１０は特許文献２に記載された製パン器能付き炊飯器の炊飯時の状態を示す断面図である。
【０００７】
図１０に示すように、製パン器能付き炊飯器によれば、容器Ａ１は加熱室２内に着脱自在に設けられ、容器Ａ１の開口部は内蓋３によって選択的に塞ぐことが可能となり、練り羽根４はモータと制御部とによって選択的に回転される。そのため、内蓋３を付すことで容器Ａ１を密封して炊飯を行うことができ、内蓋３を取り外した状態で練り羽根４を回転させて製パンを行うことができる。従って、容器Ａ１を共通にして炊飯と製パンを行うことができるので、コスト的に有利である。また、容器Ａ１を加熱室２から取り外して洗浄作業、洗米を入れる作業などを行うことができるとともに、容器Ａ１を加熱室２に入れるだけで係合部を介して練り羽根４とモータとの連結が行われるので、取り扱いが簡単である。
【０００８】
さらに、近年、食生活の欧米化、消費者の嗜好の変化等により米の消費量が低迷してきていることから、この低迷に歯止めをかけ、より米の消費量の増大を図る取り組みが推進されている。その推進策として、米を主原料としたこれまでの加工食品、例えば餅、煎餅、団子等以外にも広げるべく、米を主原料にした製パン技術が開発され、米粉パンが市販されている。この米粉パンは、小麦粉パンに比べて、多糖類の含有量が多く、しっとりした良好な感触と自然な甘味が得られ、また餅のように喉に詰まる恐れが少なく、更に少量
を食するだけで満腹感が得られることから、消費者間で人気を博しており、更にまた、小麦粉を混入しない米粉パンは小麦アレルギーを持つ消費者にとって待望された食材となってきている。
【０００９】
そこで、より簡易に米粉パンができるように、米粉を入手しなくても、自動製パン器で、家庭にある米をそのまま粉砕してパンにする装置が考えられた（例えば、特許文献３参照）。図１１は特許文献３に記載された従来の生地製造器の断面図、図１２は特許文献３に記載された従来の加熱調理食品生地製造工程の全体フローチャートである。
【００１０】
図１２に示すように、加熱調理食品生地製造方法は、所定量の米粒と所定量の液体とを容器へ収納し所定時間静置する粉砕前含浸工程＃１０と、所定量の米粒と所定量の液体の混合物の中でブレードを回転させて米粒を粉砕する粉砕工程＃２０と、粉砕米粒と液体の混合物からなる生地原料を練りブレードで生地に練り上げる練り工程＃３０からなる。
【００１１】
そして、米粒からパン用の生地を製造するときは、図１１に示すように生地製造器１１を次のように用いる。蓋１２を外し、容器Ｂ１３の中に所定量の米粒と所定量の液体を入れた後、再び蓋１２を嵌め込んで、粉砕前含浸工程＃１０を実行する。粉砕前含浸工程＃１０の間、加熱手段１４で容器Ｂ１３を加熱し、液体（この場合は水）の温度を上げると含浸が進む。粉砕前含浸工程＃１０の最初でブレード１５を回転させ、その後も時々ブレード１５を回転させて米粒の表面に傷をつけると、米粒の吸液が促され、含浸を早く完了させることができる。
【００１２】
粉砕工程＃２０に入ったらブレード１５を高速回転させ、米粒を粉砕する。これにより、粉砕米粒と液体の混合物からなる生地原料が形成される。練り工程＃３０ではブレード１５を低速回転させ、生地原料を捏ねて一つにつながった生地を練り上げる。
【００１３】
練り工程＃３０の冒頭で蓋１２を開け、所定量のグルテンと、必要に応じ所定量の調味材料を生地原料に投入する。蓋１２を閉じ、ブレード１５を低速回転させて、生地原料及びそれに投入されたグルテンや調味材料を混合する。この過程で生地の温度が上昇するので、後に投入される発泡誘起材料が酵母である場合には、適当なタイミングで冷却手段１６により容器Ｂ１３を冷却し、中の生地を冷やす。なお冷却の場合も加熱の場合も、容器Ｂ１３の温度を温度センサ１７で監視し、正確な温度が得られるようにする。
【００１４】
発泡誘起材料を投入する時機になったら、蓋１２を開けて生地に所定量の発泡誘起材料を投入する。蓋１２を閉め、ブレード１５を低速回転させて生地と発泡誘起材料を混合し、生地を完成させる。その後、生地を容器Ｂ１３から取り出して、あるいは生地を容器Ｂ１３に入れたままで、生地の発泡が進むのを待つ。所望の発泡を得られたら生地をパン焼き装置に入れ、パンを焼く。
【００１５】
このように、同一の容器Ｂ１３内で粉砕前含浸工程＃１０から練り工程＃３０まで進行させることにより、ある工程から他の工程に移行する際に内容物を別の容器に移し替える必要がなく、時間を短縮できる。また、米粒や生地原料の一部が前の工程で使用した容器の内面に残り、少しずつ目減りするという問題もなくなる。
【００１６】
また、特許文献４には特許文献３の構成を基本として、同一のブレードにより粉砕と練りとが行われることを特徴とすることが記載されている。
【００１７】
さらに、特許文献５には、小麦粉を原料とするパン生地では、イースト発酵の際のせん断粘度が１×１０００００（Ｐａ・ｓ）程度であるのに対し、米粉を主成分とした生地のせん断粘度を１×１００〜４×１００００（Ｐａ・ｓ）の範囲に調整することで、イース
ト発酵により良好な発泡倍率を得ることができ、小麦粉、グルテンを添加しなくてもパン状の製品を得られることが記載されている。
【先行技術文献】
【特許文献】
【００１８】
【特許文献１】特開２００２−３６０４４１号公報
【特許文献２】特開２００８−０１８１２２号公報
【特許文献３】特開２０１０−０３５４７５号公報
【特許文献４】特開２０１２−２１０４１２号公報
【特許文献５】特開２００３−１８９７８６号公報
【発明の概要】
【発明が解決しようとする課題】
【００１９】
しかしながら、特許文献１で用いられるパンの材料は、小麦粉を主原料とするものを主としており、特に、米を材料として改善されたものではなく、また、特許文献２では炊飯機能は有するものの、特許文献１と同様に、製パンに関しては米を材料として改善されたものではない。
【００２０】
さらに、特許文献３では、米粉を入手しなくても、より簡易に米粉パンができるように、製粉工程を経ることなく米粒から加熱調理食品生地を製造する方法として、所定量の米粒と所定量の液体の混合物の中でブレード１５を回転させて米粒を粉砕する粉砕工程を有するようになっているが、所定量の米粒を粉砕するようになっているため、どうしても、粉砕に関する課題を生じてしまっていた。
【００２１】
そして、粉砕に関する課題としては、液体の混合物の中でブレード１５を回転させて米粒を粉砕して微細粒とするためには、非常に多くの時間を要してしまう。
【００２２】
さらに、粉砕工程ではブレード１５を高速回転させ米粒を粉砕し粉砕米粒と液体の混合物からなる生地原料が形成され、練り工程ではブレード１５を低速回転させると記載されていることから、高速回転により米粒を粉砕する際にブレード１５と米粒が激しく衝突することで発熱し澱粉の一部が糊化してしまうことが考えられる。糊化した澱粉は水分保持能力が高いため、もちもちとした食感を付与するという利点も有するが、製パン焼成時に水分蒸発が十分に行われず、出来上がりのパンが凹状につぶれてしまうことが多々ある。特に糊化度合いが高い場合はその傾向が顕著となる。また、小麦やグルテンを含まない米粒のみで製パンした場合には、グルテンを形成しないためパンの形状を保持するネットワーク構造を有しないため、同様に出来上がりのパンが凹状につぶれてしまうことがある。
【００２３】
また、製パン終了後はブレード１５に生地がまとわり付いた状態で焼き上がるために、パンの取り出しが非常に困難となって使い勝手を悪化させていた。
【００２４】
特許文献４に記載の構成であっても、米粒を粉砕する際にブレードを高速回転させるという点においては上記のような課題については同様に起こり得るものであった。同じブレードで粉砕と練りを行い、かつ粉砕ではブレードを高速回転させるために、米粒が十分に粉砕されていない状態の溶液の粘度が低い状態では液面が激しく揺さぶられ、溶液が周囲に飛び散るという課題を有している。
【００２５】
特許文献５では、米粉を主成分とした生地のせん断粘度を最適化することで、イースト発酵により良好な発泡倍率を得ることができ、小麦粉、グルテンを添加しなくてもパン状の製品を得られることが記載されているが、生の米粒から製造することはできない。すなわち、特許文献５では、良好な発泡倍率を得るためには、米粉と水の割合が重要になると
ともに、米粉の種類にも気をつける必要がある。つまり、米粉の損傷澱粉割合が多い場合には吸水率が高いため、決まった量の米粉と水を混合しても目的のせん断粘度にならないことが考えられる。よって、一般家庭で製パンする場合にはそもそもせん断粘度を測定することが困難であるとともに、せん断粘度を測定することができたとしても、粘度調整が非常に難しい製パン手法といえる。
【００２６】
本発明は、前記従来の課題を解決するもので、製パン材料として少なくとも生の米粒と水を用い容器と粉砕混合手段の底部との隙間で生の米粒を粉砕する粉砕工程と、粉砕工程で粉砕された米粒と水を粉砕混合手段で混合して穀物ペーストを混合工程とを有し、粉砕工程と混合工程における粉砕混合手段を同じ速度帯で動作させ、小麦粉やグルテンを用いることなく製パンに適した穀物ペーストを作製するようにした自動製パン器の提供を目的とする。
【課題を解決するための手段】
【００２７】
前記従来の課題を解決するために、本発明の自動製パン器は、
製パン材料を収容する容器と、
前記容器の周囲に配設し前記容器を加熱する加熱手段と、
前記容器内の製パン材料を粉砕および混合する粉砕混合手段と、
前記製パン材料の温度を直接的或いは間接的に検出する温度検出手段と、
操作条件を設定する操作部と、
前記操作部で設定された条件と、前記温度検出手段で検出された前記製パン材料の温度に基づき、前記加熱手段および前記粉砕混合手段を駆動制御し前記製パン材料の粉砕から混合を経て小麦粉やグルテンを用いることなく製パンに適した穀物ペーストを作製して発酵から焼成までを自動的に行う制御手段とを備え、
前記制御手段は、前記容器と前記粉砕混合手段の底部との隙間で生の米粒を粉砕する粉砕工程と、前記粉砕工程で粉砕された米粒と水を前記粉砕混合手段で混合して穀物ペーストを得る混合工程とを有し、前記粉砕工程と前記混合工程における前記粉砕混合手段を同じ速度帯で動作させるものである。
【００２８】
上記の構成により、制御手段は、容器と粉砕混合手段の底部との隙間で生の米粒を粉砕する粉砕工程と、粉砕工程で粉砕された米粒と水を粉砕混合手段で混合して穀物ペーストを得る混合工程とを有し、粉砕工程と混合工程における粉砕混合手段を同じ速度帯で動作させ、小麦粉やグルテンを用いることなく製パンに適した穀物ペーストを作製するようにしたことで、米粒を製パン材料としたパンにおいて、生の米粒を高速回転ブレードで穀物粉に粉砕する必要がないため、穀物ペーストの性質の安定化が図れるようになる。すなわち、生の米粒を低速回転する粉砕混合手段で穀物ペーストに粉砕するため発熱が少なく穀物の澱粉が糊化し難いため穀物ペーストの粘度が安定し易い。
【００２９】
従来低速回転では米のすり潰しが満足いくものではなく、すなわちすり潰し残りが多く製パン不可であった。よって米のすり潰しは高速回転で行い、米ペーストの混合は低速回転で行っていた。米のすり潰しを低速回転で行うことにより米の澱粉の損傷を抑制し製パン性能が向上する。また、米のすり潰しと、米ペーストの混合を両立させる容器の底形状と羽根の形状とすることによって、米のすり潰しと、米ペーストの混合まで一貫して実施することが出来る。
【００３０】
また、混合の過程において、米ペーストのせん断粘度を自動的に最適化するためには、容器内の米ペーストにランダムな流れを形成して米の主成分である米澱粉と水を均一に混合する必要がある。米ペーストの初期粘度は非常に低いことから、粉砕混合手段の一部が米ペーストの液面より上部に位置していると液面が激しく揺さぶられ液滴が容器外に飛び散ってしまう。そこで、混合部は、回転方向に対して翼のように流線形状を有しており、
設計量の米ペーストを容器内に入れた際に混合部はもとより粉砕混合手段全体が覆い隠されるように構成されている。そして、粉砕混合手段が米ペーストの中で低速回転（約３００ｒｐｍ）することで米ペーストにランダムな流れを与え、効率的に米ペーストのせん断粘度を最適化する。
【００３１】
米粒を用いた場合は、米粒と水から作成した米ペーストとその他の被調理材に米粉などのグルテンを含まない被調理材を用いたパンにおいては、小麦を用いていないので、小麦アレルギーの人でも食べられるようになるが、小麦に比べ、米粉は水を多量に含み、小麦パンが膨らむ要素のグルテンを有しておらず、グルテンの代替品を用いても膨らみにくいため、捏ね方や水分量など作り方が難しいが、粉砕混合手段を低速で回転させ糊化させずに生の米粒と水からせん断粘度を最適化した米ペーストを作製し、その米ペーストを用いてパン材料の捏ねから焼成までの種々の工程を自動製パン器で一貫して行うことで、膨らみが安定した生の米粒から作製するパンができるようになる。
【００３２】
また、米粒の澱粉を吸水と加熱と撹拌によって糊化させることなく十分に膨潤させてせん断粘度が最適化された穀物ペーストを用いることにより、発酵の際に気泡を内部に閉じ込めることが可能となり生地の膨らみを促進し、生地の膨らみと形状の保持に対し非常に良好な影響を及ぼす。
【発明の効果】
【００３３】
本発明の自動製パン器における制御手段は、容器と粉砕混合手段の底部との隙間で生の米粒を粉砕する粉砕工程と、粉砕工程で粉砕された米粒と水を粉砕混合手段で混合して穀物ペーストを得る混合工程とを有し、粉砕工程と混合工程における粉砕混合手段を同じ速度帯で動作させ、小麦粉やグルテンを用いることなく製パンに適した穀物ペーストを作製するようにしたことで、米粒を製パン材料としたパンにおいて、生の米粒を高速回転ブレードで穀物粉に粉砕する必要がないため、穀物ペーストの性質の安定化が図れるようになる。すなわち、生の米粒を低速回転する粉砕混合手段で穀物ペーストに粉砕するため発熱が少なく穀物の澱粉が糊化し難いため穀物ペーストの粘度が安定し易い。
【図面の簡単な説明】
【００３４】
【図１】本発明の第１の実施の形態における自動製パン器の断面図
【図２】本発明の第１の実施の形態における自動製パン器の容器と粉砕混合手段の要部断面図
【図３】本発明の第１の実施の形態における自動製パン器の容器と粉砕混合手段の要部断面図
【図４】本発明の第１の実施の形態における自動製パン器の容器と粉砕混合手段の要部断面図
【図５】本発明の第１の実施の形態における自動製パン器の制御ブロック図
【図６】本発明の第１の実施の形態における自動製パン器の操作部の表示例図
【図７】本発明の第１の実施の形態における自動製パン器の米パン工程図
【図８】本発明の第１の実施の形態における自動製パン器の米ペーストを用いて作成するパンの工程図
【図９】従来の自動製パン器のレーズン入り食パンの調理工程図
【図１０】従来の製パン器能付き炊飯器の炊飯時の状態を示す断面図
【図１１】従来の生地製造器の断面図
【図１２】従来の加熱調理食品生地製造工程の全体フローチャート
【発明を実施するための形態】
【００３５】
第１の発明は、
製パン材料を収容する容器と、
前記容器の周囲に配設し前記容器を加熱する加熱手段と、
前記容器内の製パン材料を粉砕および混合する粉砕混合手段と、
前記製パン材料の温度を直接的或いは間接的に検出する温度検出手段と、
操作条件を設定する操作部と、
前記操作部で設定された条件と、前記温度検出手段で検出された前記製パン材料の温度に基づき、前記加熱手段および前記粉砕混合手段を駆動制御し前記製パン材料の粉砕から混合を経て小麦粉やグルテンを用いることなく製パンに適した穀物ペーストを作製して発酵から焼成までを自動的に行う制御手段とを備え、
前記制御手段は、前記容器と前記粉砕混合手段の底部との隙間で生の米粒を粉砕する粉砕工程と、前記粉砕工程で粉砕された米粒と水を前記粉砕混合手段で混合して穀物ペーストを得る混合工程とを有し、前記粉砕工程と前記混合工程における前記粉砕混合手段を同じ速度帯で動作させる自動製パン器としてある。
【００３６】
上記の構成により、制御手段は、容器と粉砕混合手段の底部との隙間で生の米粒を粉砕する粉砕工程と、粉砕工程で粉砕された米粒と水を粉砕混合手段で混合して穀物ペーストを得る混合工程とを有し、粉砕工程と混合工程における粉砕混合手段を同じ速度帯で動作させ、小麦粉やグルテンを用いることなく製パンに適した穀物ペーストを作製するようにしたことで、米粒を製パン材料としたパンにおいて、生の米粒を高速回転ブレードで穀物粉に粉砕する必要がないため、穀物ペーストの性質の安定化が図れるようになる。すなわち、生の米粒を低速回転する粉砕混合手段で穀物ペーストに粉砕するため発熱が少なく穀物の澱粉が糊化し難いため穀物ペーストの粘度が安定し易い。
【００３７】
従来低速回転では米のすり潰しが満足いくものではなく、すなわちすり潰し残りが多く製パン不可であった。よって米のすり潰しは高速回転で行い、米ペーストの混合は低速回転で行っていた。米のすり潰しを低速回転で行うことにより米の澱粉の損傷を抑制し製パン性能が向上する。また、米のすり潰しと、米ペーストの混合を両立させる容器の底形状と羽根の形状とすることによって、米のすり潰しと、米ペーストの混合まで一貫して実施することが出来る。
【００３８】
また、混合の過程において、米粒として米を用いた場合は、米ペーストのせん断粘度を自動的に最適化するためには、容器内の米ペーストにランダムな流れを形成して米の主成分である米澱粉と水を均一に混合する必要がある。米ペーストの初期粘度は非常に低いことから、粉砕混合手段の一部が米ペーストの液面より上部に位置していると液面が激しく揺さぶられ液滴が容器外に飛び散ってしまう。そこで、混合部は、回転方向に対して翼のように流線形状を有しており、設計量の米ペーストを容器内に入れた際に混合部はもとより粉砕混合手段全体が覆い隠されるように構成されている。そして、粉砕混合手段が米ペーストの中で低速回転（約３００ｒｐｍ）することで米ペーストにランダムな流れを与え、効率的に米ペーストのせん断粘度を最適化する。
【００３９】
米粒を用いた場合は、米粒と水から作成した米ペーストとその他の被調理材に米粉などのグルテンを含まない被調理材を用いたパンにおいては、小麦を用いていないので、小麦アレルギーの人でも食べられるようになるが、小麦に比べ、米粉は水を多量に含み、小麦パンが膨らむ要素のグルテンを有しておらず、グルテンの代替品を用いても膨らみにくいため、捏ね方や水分量など作り方が難しいが、粉砕混合手段を低速で回転させ糊化させずに生の米粒と水からせん断粘度を最適化した米ペーストを作製し、その米ペーストを用いてパン材料の捏ねから焼成までの種々の工程を自動製パン器で一貫して行うことで、膨らみが安定した生の米粒から作製するパンができるようになる。
【００４０】
また、米粒の澱粉を吸水と加熱と撹拌によって糊化させることなく十分に膨潤させてせん断粘度が最適化された穀物ペーストを用いることにより、発酵の際に気泡を内部に閉じ
込めることが可能となり生地の膨らみを促進し、生地の膨らみと形状の保持に対し非常に良好な影響を及ぼす。
【００４１】
第２の発明は、特に第１の発明において、前記粉砕混合手段は米粒を粉砕する粉砕部と、穀物ペーストを作製する混合部とを備え、前記粉砕部と前記容器との隙間は複数種類の異なる隙間を有し、前記容器と前記粉砕部との隙間は米粒の短径より大きい隙間と小さい隙間を有するようにした自動製パン器とすることで、米粒を容器と粉砕部との隙間において効率的に粉砕することができる。
【００４２】
すなわち、米粒は様々な形状を有しており、例えば、一般的に縦長であり、縦長方向に直交する中央部の断面は楕円形状となっている。この楕円の短径が米粒の最短長であり、短径よりも大きい隙間を設けることで米粒が入り込み、短径よりも小さい隙間があることで入り込んだ米粒は閉じ込められる。粉砕混合手段は回転動作しているため、固定位置において短径よりも大きい隙間と短径よりも小さい隙間が交互に生じることで、閉じ込められた米粒は短径よりも小さい隙間から追い出される際にせん断応力と圧縮応力が負荷され粉砕される。以上の一連の動作によって、米粒が細かく粉砕されていく。なお、粉砕部と容器との隙間は複数種類の異なる隙間を有しているため、小さい米粒や大きい米粒でも粉砕することが出来る。
【００４３】
第３の発明は、特に第１または第２の発明において、粉砕と混合が、同一容器内で進行するようにした自動製パン器とすることにより、粉砕された材料を混合させる過程で材料を他容器に移し替える手間がなく時間を短縮できるとともに、粉砕の際に使用した容器に材料が残ってしまい、総重量が減少するという問題を回避することができる。
【００４４】
第４の発明は、特に第１〜３のいずれか１つの発明において、前記粉砕された米粒と水を混合して穀物ペーストを得た後に、酵母を自動で投入し、発酵と焼成を経て製パンするようにした自動製パン器とすることで、パン生地に適した粒残りの無い穀物ペーストが均等に混ざり合った後に酵母を生地に混ぜ込むことが可能となり、小麦グルテンと米粉と小麦粉を添加しないかつ穀物ペーストを自動で作製するパンにおいて、従来に無い製パン性能を確保することができるとともに製パンのばらつきを少なくすることができる。
【００４５】
すなわち、穀物ペーストを作製する際の温度が発酵温度に近い場合は、酵母が混合していたならば撹拌の際に発酵が進んでしまうことになるが、穀物ペーストの作製が終了し穀物ペーストの状態を安定させた上で、酵母を投入することで発酵状態が非常に安定したものになる。
【００４６】
以下、本発明の実施の形態について、図面を参照しながら説明する。なお、この実施の形態によって本発明が限定されるものではない。
【００４７】
（実施の形態１）
図１は本発明の第１の実施の形態における自動製パン器の断面図、図２と図３と図４は本発明の第１の実施の形態における容器と粉砕混合手段の要部断面図、図５は本発明の第１の実施の形態における自動製パン器の制御ブロック図、図６は本発明の第１の実施の形態における自動製パン器の操作部の表示例図、図７は本発明の第１の実施の形態における穀物ペーストを用いて作成するパンの工程図、図８は本発明の第１の実施の形態における穀物ペーストを用いて作成するパンの工程のフロー図を示したものである。
【００４８】
図１〜４に示すように、本実施の形態における自動製パン器は、機器本体２１内部に設けた焼成室２２と、焼成室２２内に着脱自在に収納され製パン材料を収容する有底の容器２３が配設してある。この容器２３には、Ｄカット部を形成した回転軸２４が底面を貫通
して配置され、回転軸２４は動力伝達手段２５を介してモータ２６と連結している。容器２３内の製パン材料を粉砕および混合する粉砕混合手段２７を有している。粉砕混合手段２７は混合部２８と粉砕部２９とボス３０が一体に構成され、ボス３０は回転軸２４に嵌合している。モータ２６が回転することにより、動力伝達手段２５を介して回転軸２４が回転し、粉砕混合手段２７が回転する。粉砕混合手段２７の混合部２８と粉砕部２９は、ボス３０から回転軸２４の半径方向へ延出して形成されている。混合部２８は、特に、図３に示すように粉砕混合手段２７の回転方向に対して翼のように流線形状を有しており、設計量の米粒Ｒと水Ｗを容器２３内に入れた際に、少なくとも水Ｗによって混合部２８はもとより粉砕混合手段２７全体が覆い隠されるように構成されている。
【００４９】
粉砕部２９は平滑な平面で構成され、粉砕部２９と対向する容器２３の底部２３Ｂには凹凸形状を構成し粉砕部２９に向かう凸部２３Ａが容器２３の中心から放射状に複数形成されている。粉砕混合手段２７が回転したとき凸部２３Ａの頂部は粉砕部２９の平面と隙間ｈ２を有して離間している。容器２３の底部２３Ｂと粉砕部２９の平面との隙間は、米粒Ｒの短径ｒ１より大きい隙間ｈ１と米粒Ｒの短径ｒ１より小さい隙間ｈ２を有している。大きい隙間ｈ１は、容器２３の底部２３Ｂから粉砕部２９の平面までの距離であり、小さい隙間ｈ２は凸部２３Ａから粉砕部２９の平面までの距離である。
【００５０】
例えば米粒Ｒを例にとると一般的に縦長であり、縦長方向に直交する中央部の断面は楕円形状となっている。この楕円の短径ｒ１が米粒Ｒの最短長であり、米粒Ｒの短径ｒ１よりも大きい隙間ｈ１を設けることで米粒Ｒが大きい隙間ｈ１に入り込み、短径ｒ１よりも小さい隙間ｈ２があることで入り込んだ米粒Ｒは隣接する凸部２３Ａの間に閉じ込められる。
【００５１】
また、機器本体２１の上部には開口部を覆う開閉自在な外蓋３４が設けてあり、焼成室２２内の下方の容器２３の外周に位置して外周部より容器２３を加熱する加熱手段３５が設けてある。そして、容器２３の温度を検知して製パン材料の温度を間接的に検出する温度検出手段３６が容器２３に当接して設けてあり、温度検出手段３６で検出された製パン材料の温度に基づき、機器本体２１上部に配設した操作部３７で操作条件を設定された設定内容に対応する所定のシーケンスで、制御部３８によって加熱手段３５および粉砕混合手段２７（モータ２６）を駆動制御し製パン材料の加熱および粉砕あるいは混合を経て小麦粉やグルテンを用いることなく製パンに適した穀物ペーストを作製して発酵から焼成までを自動的に行うようになっている。
【００５２】
なお、機器本体２１の上部の外蓋３４の内部には、酵母を自動投入する酵母自動投入器４０と、小麦粉、上新粉あるいは餅粉などの粉である製パン材料を投入する粉自動投入器４１と、具材を投入する具材自動投入器４２が配設してあり、さらに、容器２３の上部に位置し焼成室２２に配設した吸い込み口４３から吸引して機器本体２１外へ排出する送風ファン４４が設けてあり、穀物ペーストを作製するときから、焼成してパンに作り上げるときまで、所定のシーケンスで適宜、送風ファン４４を作動するようにしてある。
【００５３】
また、粉自動投入器４１には、粉が固まって落ちにくいので、粉自動投入器４１に接して振動を与えて粉を落としやすいようにバイブレーター４５が設けてあり、この粉自動投入器４１は穀物ペースト作製時に一緒に加熱することのできない上新粉あるいは餅粉などの製パン材料を後から投入する必要性があるものを、適切な投入時期に自動的に投入するものである。
【００５４】
さらに、機器本体２１の雰囲気温度などの影響により温度検出手段３６で検出された製パン材料の温度が所定の温度より低いときは、加熱手段３５で加熱するとともに、温度検出手段３６で検出された製パン材料の温度が所定の温度より高いときは、製パン材料の発
酵時間を短縮するなど、温度検出手段３６で検出する温度によって調整するようにしてある。
【００５５】
そしてまた、図６に示すように、操作部３７には、小麦粉を主とした従来のパンの工程と、米ペーストを作製しその米ペーストを用いてパンを作製する米パン工程を選択する工程選択手段５０と表示部５１が設けてあり、表示部５１に工程毎の設定内容を表示し、例えば食パンやレーズンなどの具入りパンなどのそれぞれの工程に共通のメニューと、上記工程の単独メニューを表示してメニュー選択手段５２で選べるようになっている。
【００５６】
さらに、操作部３７には、穀物ペーストを用いてパンを作製する穀物パン工程のときに、機器本体２１で使用する穀物量を設定する穀物量設定手段５３と、できあがりのパンにおける穀物の含有割合を変化させる割合選択手段５４が設けてあり、穀物量設定手段５３で設定された穀物の量と割合選択手段５４で選択された含有割合に基づき、穀物以外の使用する製パン材料の量を表示部５１に表示するようになっている。
【００５７】
また、操作部３７には、パン工程を開始させるスタートボタン５５が配設してあり、上述の設定した条件で、パン工程を開始させるようになっている。
【００５８】
以上のように構成された自動製パン器について、それぞれの工程のパンの作成について説明する。
【００５９】
生の米粒から小麦粉やグルテンを用いることなく製パンに適した穀物ペーストを作製し、その穀物ペーストを用いてパンを作製する代表的な穀物パン工程（本実施の形態では米粒として米を用いた）について説明すると、図７に示すように、はじめに操作部３７で吸水した米粒から米ペーストを作製しその米ペーストを用いてパンを作製する米パン工程を選択して（ステップ２０１）、つぎに、穀物量設定手段５３で該機器での米量を設定する（ステップ２０２）とともに、割合選択手段５４でできあがりのパンの米の含有割合を選択する（ステップ２０３）。つぎに、表示部５１に、例えば食パンやレーズンなどの具入りパンなどの共通のメニューあるいは米ペーストを作製しその米ペーストを用いてパンを作製する米パンの個別のメニュー（出来上がりの米パンの食味：甘い、しっとり感など）および米種を表示して（ステップ２０４）、メニュー選択手段５２で選択する（ステップ２０５）。つぎに、選択された内容に基づき表示部５１に必要な具材の量を表示して（ステップ２０６）、使用者が確認して容器２３に水と米粒を所定量投入するとともに、酵母自動投入器４０に酵母を、粉自動投入器４１に小麦やグルテン以外の穀物粉を、そして、具材自動投入器４２に具材を所定量セットし（ステップ２０７）、準備が完了したら、スタートボタン５５を押して、機器本体２１の製パンを開始させる（ステップ２０８）。機器本体２１は、操作部３７で設定された設定内容に対応する所定のシーケンスで、温度検出手段３６で検出された前記製パン材料の温度に基づき、加熱手段３５および粉砕混合手段２７を駆動制御し、米粒を粉砕して米ペーストを作製、混合、ねかせ、発酵、焼き上げを組み合わせて、パンを作成する（ステップ２０９）。
【００６０】
ここで、粉砕、混合、ねかせ、発酵、焼き上げの製パンのフローは、図８に示すように、ステップ２１１で米粒の澱粉を吸水と加熱と撹拌によって糊化させることなく十分に膨潤させ、米ペーストのせん断粘度を自動的に最適化する。
【００６１】
粉砕工程では、容器２３と粉砕混合手段２７の底部との隙間で生の米粒を粉砕する工程である。具体的に詳細に説明すると、粉砕工程において図２、図３に示すように、米粒を効率よく磨り潰すためには粉砕部２９と容器２３の隙間ｈ１に米粒Ｒを誘い込み、米粒Ｒにせん断応力と圧縮応力を負荷する必要がある。図２は、本発明の第１の実施の形態における自動製パン器の容器２３と粉砕混合手段２７の米粒粉砕前の状態を示す断面図であり
、図３は、本発明の第１の実施の形態における自動製パン器の容器２３と粉砕混合手段２７との関係を示す要部断面図である。
【００６２】
粉砕部２９は平滑な平面で構成され、粉砕部２９と対向する容器２３の底部２３Ｂには凹凸形状を構成し粉砕部２９に向かう凸部２３Ａが容器２３の中心から放射状に複数形成されている。粉砕混合手段２７が回転したとき凸部２３Ａの頂部は粉砕部２９の平面と隙間ｈ２を有して離間している。容器２３の底部２３Ｂと粉砕部２９の平面との隙間は、米粒Ｒの短径ｒ１より大きい隙間ｈ１と米粒Ｒの短径ｒ１より小さい隙間ｈ２を有しており、大きい隙間ｈ１は、容器２３の底部２３Ｂから粉砕部２９の平面までの距離であり、小さい隙間ｈ２は凸部２３Ａから粉砕部２９の平面までの距離に設定されている。
【００６３】
例えば米粒Ｒを例にとると一般的に縦長であり、縦長方向に直交する中央部の断面は楕円形状となっている。この楕円の短径ｒ１が米粒Ｒの最短長であり、米粒Ｒの短径ｒ１よりも大きい隙間ｈ１を設けることで米粒Ｒが大きい隙間ｈ１に入り込み、短径ｒ１よりも小さい隙間ｈ２があることで入り込んだ米粒Ｒは隣接する凸部２３Ａの間に閉じ込められる。
【００６４】
粉砕混合手段２７はモータ２６によって回転動作しており、本実施の形態では粉砕時に低速回転域（約３００ｒｐｍ）で動作される。一般的に米などの穀物を粉砕するためには従来３０００ｒｐｍ以上の高速回転するブレードで粉砕していたが、米ペーストの性質が安定しないという課題を有していた。すなわち、生の米粒を高速回転するブレードで米ペーストに粉砕するため発熱が多く米の澱粉が糊化し易くなり穀物ペーストの粘度が安定し難かった。
【００６５】
また、粉砕混合手段２７はモータ２６によって回転動作しているため、次々に米粒Ｒが短径ｒ１よりも大きい隙間ｈ１から入って隣接する凸部２３Ａの間に蓄積され、米粒Ｒは短径ｒ１よりも小さい隙間ｈ２から追い出される際に粉砕部２９と凸部２３Ａとによって、せん断応力と圧縮応力が負荷され粉砕される。以上の一連の動作によって、米粒Ｒが細かく粉砕されて図４に示すように米ペーストＰが出来上がる。この米ペーストＰの液面は粉砕混合手段２７の最高部より高くなるように設定されている。
【００６６】
また、混合工程では、粉砕工程で粉砕された米粒と水を粉砕混合手段２７で混合して穀物（米）ペーストを得る工程である。具体的に詳細に説明すると、混合工程において、米ペーストＰのせん断粘度を自動的に最適化するためには、容器内の米ペーストＰにランダムな流れを形成して米の主成分である米澱粉と水を均一に混合する必要がある。米ペーストの初期粘度は非常に低い（水と同様）ことから、粉砕混合手段２７の一部が米ペーストの液面より上部に位置していると液面が激しく揺さぶられ液滴が容器２３外に飛び散ってしまう。そこで、混合部２８は、回転方向に対して翼のように流線形状を有しており、設計量の米ペーストを容器２３内に入れた際に混合部２８はもとより粉砕混合手段２７全体が米ペーストによって覆い隠されるように構成されている。そして、粉砕混合手段２７が米ペーストの中で低速回転（約３００ｒｐｍ）することで米ペーストにランダムな流れを与え、効率的に米ペーストのせん断粘度を最適化する。
【００６７】
以上のプロセスにより、生米を加熱して柔らかくしながら磨り潰すとともに、従来３０００ｒｐｍ以上の高速回転で米粒を粉砕していた場合と比較して、生米を微小化する際に伴う切削音は著しく小さいという利点がある。
【００６８】
従来低速回転では米のすり潰しが満足いくものではなく、すなわちすり潰し残りが多く製パン不可であった。よって米のすり潰しは高速回転で行い、米ペーストの混合は低速回転で行っていた。米のすり潰しを低速回転で行うことにより米の澱粉の損傷を抑制し製パ
ン性能が向上する。また、米のすり潰しと、米ペーストの混合を両立させる容器の底形状と羽根の形状とすることによって、米のすり潰しと、米ペーストの混合まで一貫して実施することが出来る。
【００６９】
さらに、粉砕混合手段２７で米粒と水をゆっくりと間欠的に撹拌するようにしてあるとともに、米澱粉の吸水と膨潤が促進される温度（例えばこしひかりなどの米種を選択した場合には２５〜４５℃、選択した穀物種に合わせて自動で２０℃〜６５℃の範囲で加熱温度設定される）で加熱手段３５によって加熱するようにしてある。また、米ペーストの膨潤を促進しながら粉砕混合手段２７に作用する被調理物の抵抗力（電流値）をモータ２６が検知し被調理物のせん断抵抗が分かるようになっているため、せん断抵抗を検知しながら米ペーストのせん断粘度が最適値になるようにモータ２６と加熱手段３５と送風ファン４４を制御部３８が制御する。米澱粉の膨潤が進んでいない初期の段階ではせん断粘度は小さく、加熱と撹拌するに従ってせん断粘度が大きくなっていくため、せん断粘度が小さすぎず、大きすぎることがないようにモータ２６と加熱手段３５と送風ファン４４を制御部３８が制御して米ペーストを最適な状態に保つようにしている。送風ファン４４の作用として、生地の温度調整をするとともに生地中の水分量を調整する役割を有している。
【００７０】
温度検出手段３６で検出された米と溶液の温度およびモータ２６で検出されたせん断抵抗に基づき、モータ２６と加熱手段３５と送風ファン４４を駆動制御し、米ペーストを所定のせん断粘度になるように制御部３８が制御する。モータ２６を制御することで澱粉の膨潤を促進してせん断粘度を向上させるとともに、加熱手段３５を制御することで加熱量を調整して所定の温度になるようにし澱粉を分解する酵素が働きやすい状態にする。
【００７１】
送風ファン４４を作動させると、容器２３の上部の焼成室２２内の蒸気を含む温度の高い空気を機器本体２１外へ排出する様になっており、水分を蒸発させることで米ペーストのせん断粘度を調整するようになっている。
【００７２】
そして米澱粉膨潤のための加熱が終了すると、ステップ２１２において粉砕混合手段２７で米粒を磨り潰し、ステップ２１３で粉自動投入器４１から米粉等の粉を投入して、ステップ２１４で練りを行い米ペーストと米粉等の粉品を混ぜるとともに、ステップ２１２およびステップ２１４の間で、送風ファン４４を作動させて、容器２３の上部の焼成室２２内の米ペーストの蒸気を含む温度の高い空気を機器本体２１外へ排出して、米ペーストを酵母の最も活動する温度に冷却していくようになっている。尚、ステップ２１３の米粉等の粉品を投入時には、送風ファン４４の作動は停止して、送風ファン４４の吸い込み口４３に米粉等の粉品が入らないようにしてある。
【００７３】
つぎに、ステップ２１５で、酵母を酵母自動投入器４０で自動投入するとともに、ステップ２１６で、具材自動投入器４２でレーズン等の具材を投入したのち、ステップ２１７で、第３練りを行い、ステップ２１８、米ペーストと米粉等の粉の混合物をねかし、そして、ステップ２１９で焼き上げる。さらにこのとき、ステップ２１７およびステップ２１８の間で、送風ファン４４を作動させて、容器２３の上部の焼成室２２内のパン生地の水分を含む温度の高い空気を機器本体２１外へ排出して、焼成中のパン生地の水分の微調整をおこなうようになっている。尚、ステップ２１５の酵母およびステップ２１６のレーズン等の具材を投入時には、送風ファン４４を作動は停止して、送風ファン４４の吸い込み口４３に酵母およびレーズン等の具材が入らないようにしてある。
【００７４】
ステップ２２０で焼き上がったら完成となり、容器２３から取り出して完了する。
【００７５】
そして、上述の米ペーストを作製しその米ペーストを用いて作成したパンは、米粉を主とした従来のパンの工程で作成したものよりも膨らみが得られ、もちっとした食感で、甘
みが感じられよりおいしく感じられた。
【００７６】
これは、米ペーストに含まれている膨潤した澱粉とタンパク質が均等に混ざり合うことで、生地の伸びと強度を両立するパン生地のベースとなる状態が形成され、酵母を均等に混ぜ込むことで膨潤した澱粉とタンパク質の間に酵母が入り込み、発酵によって生成する炭酸ガスが膨潤した澱粉とタンパク質の隙間に気泡を形成し生地が十分に膨らむためである。また、米中には糖生成酵素が存在しているが、その酵素は米の外層部と内層部で温度依存性が異なる。先に溶液の温度の影響を受ける外層部の酵素群至適温度は４０℃であり、内層部は６０℃である。よって、米ペーストを作製する際に糊化しない４０℃に温度制御を行って米澱粉を膨潤することによって、米が本来持っているアミラーゼが作用して十分に澱粉の分解が起こり、米澱粉が膨潤するとともに甘味成分を生成でき、甘味の強いパンを焼き上げることができる。また糖類が生成することでパンの日持ちも良くすることができる。
【００７７】
従来の方式では、ブレードを高速回転させて米粒を粉砕し微細米粉ペーストを作製しそこに米粉などを添加していたため、生地の伸びと強度が不足していることで製パン性（特に膨らみ）が十分ではない。また、米を加熱してブレードを高速回転させると粘性が高くなることによってブレードが回転不能になるため、温度を上げることが出来ず、甘味の強いパンを焼き上げることが出来ない。
【００７８】
さらに、上述の米ペーストを作製し、酵母のみを用いたパンにおいては、小麦を用いていないので、小麦アレルギーの人でも食べられるようになるが、小麦に比べ、米粉は水を多量に含み、小麦パンが膨らむ要素のグルテンを有しておらず、グルテンの代替品を用いても膨らみにくいため、捏ね方や水分量など作り方が難しく、パン材料の捏ねから焼成までの種々の工程を自動製パン器で一貫して行うことで、できあがりが安定した米から作製するパンができるようになる。
【００７９】
米ペーストを作製するときに、粉砕混合手段２７で製パン材料を撹拌するようにした構成としてあるので、生の米と水の状態で撹拌することで、生の米の吸水を早く均一にすることができ、また、加熱中に撹拌することで、温度分布を平均にすることができ、更に製パン時の捏ねに適するように混ぜることができ、そして、製パンに適した条件で米澱粉の膨潤時間を短縮することが出来るとともに、次ステップの磨り潰しにスムーズに移行でき、磨り潰し時間を短縮することができるようになる。
【００８０】
また、製パン材料あるいは容器２３近傍を冷却する送風ファン４４を配設してあるので、米ペーストを作成するときから、焼成してパンに作り上げるときまで、適宜、送風ファン４４を作動することで、米澱粉の糊化度を調整した米ペーストを作製する加熱時にその熱で酵母が死滅しないようにするなどや、米ペーストを冷却する時間の短縮を図ることが出来るようになる。つまり、米澱粉の糊化度を調整した米ペーストから製パンするときの温度調節をすることが出来、より米から作製するパンの製パン性能を向上させることができるようになる。
【００８１】
製パン時に用いる酵母は、温度が２７〜３６℃で最も活動的になり、６０℃以上で死滅するため、製パン時はパンを焼成する前までつまり、酵母の保管、捏ね、発酵期間は少なくとも常温に近い温度にしておかねばならず、米ペースト作製の加熱量を小さくすることで、酵母の冷却保管を容易にして、酵母の冷却手段を簡易とすることができ、酵母の温度管理が容易となり、できあがりが安定したせん断粘度を調整した米から作製するパンができるようになる。
【００８２】
特に、酵母は４℃以下になると活動が停止し６０℃以上で死滅し、２７℃〜３０℃が活
発に働く温度として、一次発酵に丁度よい温度で、再発酵（仕上げ発酵）させる時は３５℃〜３８℃とやや高めで発酵させるようになっており、温度管理が必要で、米ペースト作製完了した直後は温度が高いため、酵母を投入することが出来ない。
【００８３】
ここで、送風ファン４４は、米ペーストを作製してから、酵母を投入するまでの間に作動させ、米ペーストの温度が酵母の死滅する温度以下になるまで冷却するようにした構成としてあるので、米ペーストの温度を適正な温度に素早く下げることが出来、製パン性の向上と製パンにかかる時間の短縮を図ることが出来るようになる。
【００８４】
また、米ペーストを製パン材料として用いてパンを作成する場合は、小麦粉を主とした製パン材料を用いてパンを作成する場合より、パンの膨らみが少なく、また、作製した米ペーストの量や製パン材料などの量を調整して、容器２３のパンを作成したときのパンの体積が少なくて、容器２３の上部まで達していないと、どうしても、パン焼成時のパン上面への熱の伝わり方が不十分となりやすい。そこで、容器２３の上方にできあがるパンの天面を加熱する第２加熱手段３５を配設するか、あるいは、容器２３の上方に加熱手段３５の熱を反射させる反射板を配設するようにしてもよい。
【００８５】
これによれば、パンの膨らみが十分でない場合でも、容器２３の側面からの加熱に加えて、容器２３の上方から加熱されるので、パン焼成時にパン上面が加熱されやすくなり、パン上面の焼きムラが低減されるようになる。
【産業上の利用可能性】
【００８６】
以上のように、本発明の自動製パン器は、上記実施の形態に示した構成に限定されず種々の形態のものに適用できるものであり、穀物ペーストを製パン材料として用いて製パンする装置や、小麦粉を主とした従来のパンも作成でき、穀物澱粉を膨潤させて穀物ペーストを作製しその穀物ペーストを製パン材料として用いて製パン出来る装置、などの本発明の技術範囲において種々の形態を包含するものである。
【符号の説明】
【００８７】
２１  機器本体
２２  焼成室
２３  容器
２４  回転軸
２５  動力伝達手段
２６  モータ
２７  粉砕混合手段
２８  混合部
２９  粉砕部
３０  ボス
３４  外蓋
３５  加熱手段
３６  温度検出手段
３７  操作部
３８  制御部
４０  酵母自動投入器
４１  粉自動投入器
４２  具材自動投入器
４３  吸い込み口
４４  送風ファン
４５  バイブレーター
５０  工程選択手段
５１  表示部
５２  メニュー選択手段
５３  穀物量設定手段
５４  割合選択手段
５５  スタートボタン
【図１】
0006528084.tif 000002
【図２】
0006528084.tif 000003
【図３】
0006528084.tif 000004
【図４】
0006528084.tif 000005
【図５】
0006528084.tif 000006
【図６】
0006528084.tif 000007
【図７】
0006528084.tif 000008
【図８】
0006528084.tif 000009
【図９】
0006528084.tif 000010
【図１０】
0006528084.tif 000011
【図１１】
0006528084.tif 000012
【図１２】
0006528084.tif 000013